(57)【要約】【課題】映像音声情報を実時間で配受信し、学習者側で映像音声情報の実時間再生および実時間記憶が同時に行えるとともに、学習者が教師の音声を聞きながら自分の音声を録音できる授業支援システムを提供すること。【解決手段】教師端末１０と学習者端末５０とは回線２２を介して接続され、教師端末１０は、情報読み込み手段１１から読み込まれた情報を、配信データ生成手段１２で圧縮し、データ送信手段１３から回線２２に実時間配信する。学習者端末５０は、データ受信手段５１で受信した配信データを復元手段５２で解凍し、映像情報抽出手段５４と可視化手段５５とで実時間可視化し、音声情報抽出手段５６と可聴化手段５７とで実時間可聴化すると同時に、学習者用記憶手段５３に実時間記憶する。さらに、学習者用記憶手段５３に記憶された教師の音声を再生しながら学習者の音声が学習者用記憶手段５３に再記億される。【選択図】  図１１
2005017755.tif 000002
【特許請求の範囲】
【請求項１】
教師が学習者に配信する映像情報および音声情報の少なくとも一方の情報が記録された記録媒体から前記少なくとも一方の情報をデジタル情報として読み込む情報読み込み手段と、前記情報読み込み手段で読み込まれた前記デジタル情報から前記デジタル情報のデジタル配信データを生成する配信データ生成手段と、前記配信データ生成手段で生成された前記デジタル配信データを、デジタルデータを伝送する回線に、デジタルデータとして送信するデータ送信手段とを備えることを特徴とする教師端末。
【請求項２】
前記教師端末が、前記配信データ生成手段で生成された前記デジタル配信データを実時間記憶する教師用記憶手段と、前記教師用記憶手段に記憶された前記デジタル配信データを読み出して前記データ送信手段に出力するデータ出力手段とを備えることを特徴とする請求項１に記載の教師端末。
【請求項３】
デジタルデータを伝送する回線からデジタルデータをデジタル配信データとして受信するデータ受信手段と、前記データ受信手段で受信された前記デジタル配信データからデジタル情報を実時間復元する復元手段と、前記復元手段で実時間復元された前記デジタル情報を実時間記憶する学習者用記憶手段と、前記復元手段で実時間復元された前記デジタル情報からデジタル映像情報を実時間抽出する映像情報抽出手段と、前記映像情報抽出手段で実時間抽出された前記デジタル映像情報を実時間可視化する可視化手段と、前記復元手段で実時間復元された前記デジタル情報からデジタル音声情報を実時間抽出する音声情報抽出手段と、前記音声情報抽出手段で実時間抽出された前記デジタル音声情報を実時間可聴化する可聴化手段とを備えることを特徴とする学習者端末。
【請求項４】
前記学習者端末が、前記学習者用記憶手段に記憶されている前記デジタル情報を読み出し、前記映像情報抽出手段および前記音声情報抽出手段に出力する情報出力手段を備えることを特徴とする請求項３に記載の学習者端末。
【請求項５】
前記学習者端末が、前記学習者端末を使用している前記学習者の音声を学習者デジタル音声情報に変換する学習者音声情報変換手段と、前記情報出力手段から出力される前記デジタル情報から前記音声情報抽出手段により抽出された前記デジタル音声情報と、前記学習者音声情報変換手段で変換された前記学習者デジタル音声情報とを混合してデジタル混合音声情報を生成する混合音声情報生成手段と、前記混合音声情報生成手段で生成された前記デジタル混合音声情報を前記学習者用記憶手段に実時間記憶する混合音声情報記憶手段とを備えることを特徴とする請求項４に記載の学習者端末。
【請求項６】
前記学習者端末が、前記学習者端末を使用している前記学習者の音声を学習者配信データに変換する学習者配信データ変換手段と、前記情報出力手段から出力される前記配信データと前記学習者配信データ変換手段で変換された前記学習者配信データとを混合して混合配信データを生成する混合配信データ生成手段と、前記混合配信データ生成手段で生成された前記混合配信データを前記学習者用記憶手段に再記憶する混合配信データ記憶手段とを備えることを特徴とする請求項４に記載の学習者端末。
【請求項７】
教師が操作する教師端末と、少なくとも一人の学習者のそれぞれが操作する少なくとも一つの学習者端末と、前記教師端末から前記少なくとも一つの学習者端末に配信されるデジタルデータを伝送する回線とを備え、
前記教師端末は、前記教師が前記少なくとも一人の学習者に配信する映像情報および音声情報の少なくとも一方の情報が記録された記録媒体から前記少なくとも一方の情報をデジタル情報として読み込む情報読み込み手段と、前記情報読み込み手段で読み込まれた前記デジタル情報から前記デジタル情報のデジタル配信データを生成する配信データ生成手段と、前記配信データ生成手段で生成された前記デジタル配信データを、前記回線に、デジタルデータとして送信するデータ送信手段とを含み、
前記少なくとも一つの学習者端末は、前記回線から前記デジタルデータを前記デジタル配信データとして受信するデータ受信手段と、前記データ受信手段で受信された前記デジタル配信データから前記デジタル情報を実時間復元する復元手段と、前記復元手段で実時間復元された前記デジタル情報を実時間記憶する学習者用記憶手段と、前記復元手段で実時間復元された前記デジタル情報からデジタル映像情報を実時間抽出する映像情報抽出手段と、前記映像情報抽出手段で実時間抽出された前記デジタル映像情報を実時間可視化する可視化手段と、前記復元手段で実時間復元された前記デジタル情報から前記デジタル音声情報を実時間抽出する音声情報抽出手段と、前記音声情報抽出手段で実時間抽出された前記デジタル音声情報を実時間可聴化する可聴化手段とを含むことを特徴とする授業支援システム。
【請求項８】
前記学習者端末が、前記学習者記憶手段に記憶されている前記デジタル情報を読み出し、前記映像情報抽出手段および前記音声情報抽出手段に出力する情報出力手段を含むことを特徴とする請求項７に記載の授業支援システム。
【請求項９】
前記学習者端末が、前記学習者端末を使用している学習者の音声を学習者デジタル音声情報に変換する学習者音声情報変換手段と、前記情報出力手段から出力される前記デジタル情報から前記音声情報抽出手段により抽出された前記デジタル音声情報と、前記学習者音声情報変換手段で変換された前記学習者デジタル音声情報とを混合してデジタル混合音声情報を生成する混合音声情報生成手段と、前記混合音声情報生成手段で生成された前記デジタル混合音声情報を前記学習者用記憶手段に実時間記憶する混合音声情報記憶手段とを含むことを特徴とする請求項８に記載の授業支援システム。
【請求項１０】
前記学習者端末が、前記学習者端末を使用している学習者の音声を学習者配信データに変換する学習者配信データ変換手段と、前記情報出力手段から出力される前記配信データと前記学習者配信データ変換手段で変換された前記学習者配信データとを混合して混合配信データを生成する混合配信データ生成手段と、前記混合配信データ生成手段で生成された前記混合配信データを前記学習者用記憶手段に再記憶する混合配信データ記憶手段とを含むことを特徴とする請求項８に記載の授業支援システム。
【請求項１１】
前記教師端末が、前記配信データ生成手段で生成された前記デジタル配信データを実時間記憶する教師用記憶手段と、前記教師用記憶手段に記憶された前記デジタル配信データを読み出して前記データ送信手段に出力するデータ出力手段とを含むことを特徴とする請求項７から請求項１０までのいずれかに記載の授業支援システム。
【発明の詳細な説明】
【０００１】
【発明の属する技術分野】
本発明は、教師端末、学習者端末、および授業支援システムに係り、特に、学習者端末において映像情報および音声情報を実時間再生しながら、同時に実時間記憶することのできる教師端末、学習者端末、および授業支援システムに関する。
【０００２】
【従来の技術】
ネットワークを介して接続された複数のコンピュータを使用したデジタル学習システムとしては、図１６に示したものが知られている（例えば、特許文献１参照）。
即ち、従来の学習システムは、教師によって使用される教師装置１０１と、複数の学習者用装置１０２（図には一つの学習者用装置だけを示す）を備えており、教師装置１０１および複数の学習者用装置１０２はネットワーク１００に接続されている。
【０００３】
教師用装置１０１には、教師側ＬＬ部１０３および教師側Ｃラボ部１０５が設けられており、教師側ＬＬ部１０３は教師側第一制御手段１０７および教師側教材蓄積配信手段１１７を、教師側Ｃラボ部１０５は教師側第二制御手段１０８を含んでいる。
学習者用装置１０２には、学習者側ＬＬ部１０４および学習者側Ｃラボ部１０６が設けられている。そして、学習者側ＬＬ部１０４は、学習者側第一ネットワーク送信手段１０９、学習者側第一制御手段１１０、学習者側音声量子化手段１１１、音声入力手段１１２および操作手段１１３を含んでいる。また、学習者側Ｃラボ部１０６は、学習者側第二制御手段１１４、学習者側第一ネットワーク受信手段１１５、および学習者側データ蓄積手段１１６を含んでいる。
【０００４】
上記構成を有する学習システムにおいては、教師が学習者に音声を配信する場合には、教師が予め音声教材をデジタル化して、教師側教材蓄積配信手段１１７に蓄積しておくことが必要であった。そして、学習者あるいは教師が音声教材の配信を要求すると、教師用装置１０１は音声教材を教師側教材蓄積配信手段１１７からネットワーク１００を介して学習者側Ｃラボ部１０６に配信する。
学習者側Ｃラボ部１０６は、学習者側第二制御手段１１４により制御され、学習者側第一ネットワーク受信手段１１５を介して配信されてきた音声教材を受信して学習者側データ蓄積手段１１６に蓄積することができる。
【０００５】
さらに、学習者の音声を、音声入力手段１１２において学習者の音声を示す電気信号に変換し、学習者側音声量子化手段１１２で量子化した後に、学習者側データ蓄積手段１１６に蓄積することもできる。
【０００６】
【特許文献１】
特開２００１−１２５４７６号公報（第５〜６頁、図１）
【０００７】
【発明が解決しようとする課題】
しかしながら、上記の学習システムにあっては、配信できる情報は音声情報だけであり、しかも音声情報をデジタルデータとして予め教材蓄積配信手段２０２内に蓄積しておくことが必要であったので、映像情報を配受信できないだけでなく、音声教材を実時間配受信することもできなかった。
【０００８】
さらに、上記デジタル学習システムでは、学習者が教師の音声を聞きながら自分の音声を録音することはできず、学習者が教師の音声と自分の音声を聴き較べて学習効率を向上することもできなかった。
【０００９】
本発明は、上記課題を解決するためになされたものであって、映像音声情報を実時間で配受信し、学習者側で映像音声情報の実時間再生および実時間記憶が同時に行えるとともに、学習者が教師の音声を聞きながら自分の音声を録音することを可能とした授業支援システムを提供するものである。
【００１０】
【課題を解決するための手段】
本発明の教師端末は、教師が学習者に配信する映像情報および音声情報の少なくとも一方の情報が記録された記録媒体から前記少なくとも一方の情報をデジタル情報として読み込む情報読み込み手段と、前記情報読み込み手段で読み込まれた前記デジタル情報から前記デジタル情報のデジタル配信データを生成する配信データ生成手段と、前記配信データ生成手段で生成された前記デジタル配信データを、デジタルデータを伝送する回線に、デジタルデータとして送信するデータ送信手段とを備える構成を有している。
この構成により、教師が記録媒体に記録されている映像情報および音声情報の少なくとも一方の情報を、回線を介して実時間配信することができることとなる。
【００１１】
また、本発明の教師端末は、前記配信データ生成手段で生成された前記デジタル配信データを実時間記憶する教師用記憶手段と、前記教師用記憶手段に記憶された前記デジタル配信データを読み出して前記データ送信手段に出力するデータ出力手段とを備える構成を有している。
この構成により、実時間配信した映像情報および音声情報を必要に応じて再配信することができることとなる。
【００１２】
さらに、本発明の学習者端末は、デジタルデータを伝送する回線からデジタルデータをデジタル配信データとして受信するデータ受信手段と、前記データ受信手段で受信された前記デジタル配信データからデジタル情報を実時間復元する復元手段と、前記復元手段で実時間復元された前記デジタル情報を実時間記憶する学習者用記憶手段と、前記復元手段で実時間復元された前記デジタル情報からデジタル映像情報を実時間抽出する映像情報抽出手段と、前記映像情報抽出手段で実時間抽出された前記デジタル映像情報を実時間可視化する可視化手段と、前記復元手段で実時間復元された前記デジタル情報から前記デジタル音声情報を実時間抽出する音声情報抽出手段と、前記音声情報抽出手段で実時間抽出された前記デジタル音声情報を実時間可聴化する可聴化手段とを備える構成を有している。
この構成により、実時間配信されてきた映像情報および音声情報を実時間記憶しながら、可視化および可聴化することができることとなる。
【００１３】
さらに、本発明の学習者端末は、前記学習者用記憶手段に記憶されている前記デジタル情報を読み出し、前記映像情報抽出手段および前記音声情報抽出手段に出力する情報出力手段を備える構成を有している。
この構成により、必要に応じて、既に学習者用記憶手段に記憶されているデジタル情報からデジタル映像情報およびデジタル音声情報を再生することができることとなる。
【００１４】
さらに、本発明の学習者端末は、前記学習者端末を使用している学習者の音声を学習者デジタル音声情報に変換する学習者音声情報変換手段と、前記情報出力手段から出力される前記デジタル情報から前記音声情報抽出手段により抽出された前記デジタル音声情報と、前記学習者音声情報変換手段で変換された前記学習者デジタル音声情報とを混合してデジタル混合音声情報を生成する混合音声情報生成手段と、前記混合音声情報生成手段で生成された前記デジタル混合音声情報を前記学習者用記憶手段に実時間記憶する混合音声情報記憶手段とを備える構成を有している。
この構成により、学習者端末を使用している学習者の音声と教師の音声を混合して、再記憶することができることとなる。
【００１５】
さらに、本発明の学習者端末は、前記学習者端末を使用している学習者の音声を学習者配信データに変換する学習者配信データ変換手段と、前記情報出力手段から出力される前記配信データと前記学習者配信データ変換手段で変換された学習者配信データとを混合して混合配信データを生成する混合配信データ生成手段と、前記混合配信データ生成手段で生成された前記混合配信データを前記学習者用記憶手段に再記憶する混合配信データ記憶手段とを備える構成を有している。
この構成により、その学習者端末を使用している学習者の音声と教師の音声を混合して、圧縮された形式で再記憶することができることとなる。
【００１６】
さらに、本発明の授業支援システムは、教師が操作する教師端末と、少なくとも一人の学習者のそれぞれが操作する少なくとも一つの学習者端末と、前記教師端末から前記少なくとも一つの学習者端末に配信されるデジタルデータを伝送する回線とを備え、前記教師端末は、前記教師が前記少なくとも一人の学習者に配信する映像情報および音声情報の少なくとも一方の情報が記録された記録媒体から前記少なくとも一方の情報をデジタル情報として読み込む情報読み込み手段と、前記情報読み込み手段で読み込まれた前記デジタル情報から前記デジタル情報のデジタル配信データを生成する配信データ生成手段と、前記配信データ生成手段で生成された前記デジタル配信データを、前記回線に、デジタルデータとして送信するデータ送信手段とを含み、前記少なくとも一つの学習者端末は、前記回線から前記デジタルデータを前記デジタル配信データとして受信するデータ受信手段と、前記データ受信手段で受信された前記デジタル配信データから前記デジタル情報を実時間復元する復元手段と、前記復元手段で実時間復元された前記デジタル情報を実時間記憶する学習者用記憶手段と、前記復元手段で実時間復元された前記デジタル情報からデジタル映像情報を実時間抽出する映像情報抽出手段と、前記映像情報抽出手段で実時間抽出された前記デジタル映像情報を実時間可視化する可視化手段と、前記復元手段で実時間復元された前記デジタル情報から前記デジタル音声情報を実時間抽出する音声情報抽出手段と、前記音声情報抽出手段で実時間抽出された前記デジタル音声情報を実時間可聴化する可聴化手段とを含む構成を有している。
この構成により、媒体に記録された情報を教師端末から学習者端末に実時間配信することができるとともに、学習者端末で実時間記憶することができることとなる。
【００１７】
さらに、本発明の授業支援システムは、前記学習者端末が、前記学習者記憶手段に記憶されている前記デジタル情報を読み出し、前記映像情報抽出手段および前記音声情報抽出手段に出力する情報出力手段を含む構成を有している。
この構成により、教師端末または学習端末の要求に応じて、既に学習者用記憶手段に記憶されているデジタル情報からデジタル映像情報およびデジタル音声情報を再生することができることとなる。
【００１８】
さらに、本発明の授業支援システムは、前記学習者端末が、前記学習者端末を使用している学習者の音声を学習者デジタル音声情報に変換する学習者音声情報変換手段と、前記情報出力手段から出力される前記デジタル情報から前記音声情報抽出手段により抽出された前記デジタル音声情報と、前記学習者音声情報変換手段で変換された前記学習者デジタル音声情報とを混合してデジタル混合音声情報を生成する混合音声情報生成手段と、前記混合音声情報生成手段で生成された前記デジタル混合音声情報を前記学習者用記憶手段に実時間記憶する混合音声情報記憶手段とを含む構成を有している。
この構成により、学習者端末を使用している学習者の音声と教師の音声を混合して再記憶すること、および学習者が教師の音声を聞きながら自分の音声を録音することができることとなる。
【００１９】
さらに、本発明の授業支援システムは、前記学習者端末が、前記学習者端末を使用している学習者の音声を学習者配信データに変換する学習者配信データ変換手段と、前記情報出力手段から出力される前記配信データと前記学習者配信データ変換手段で変換された前記学習者配信データとを混合して混合配信データを生成する混合配信データ生成手段と、前記混合配信データ生成手段で生成された前記混合配信データを前記学習者用記憶手段に再記憶する混合配信データ記憶手段とを含む。
この構成により、その学習者端末を使用している学習者の音声と教師の音声を混合して、圧縮された形式で再記憶することができることとなる。
【００２０】
さらに、本発明の授業支援システムは、前記教師端末が、前記配信データ生成手段で生成された前記デジタル配信データを実時間記憶する教師用記憶手段と、前記教師用記憶手段に記憶された前記デジタル配信データを読み出して前記データ送信手段に出力するデータ出力手段とを含む。
この構成により、教師用記憶手段を備えているので、実時間配信した映像情報および音声情報を必要に応じて学習者端末に再配信することができることとなる。
【００２１】
【発明の実施の形態】
以下本発明の実施の形態について、図面を用いて説明する。
なお、本明細書において、「情報」、「デジタル情報」、「配信データ」および「データ」という術語を以下の意味で使用する。
「情報」は、記録媒体に記録された映像情報および音声情報の少なくとも一方を意味し、記録形式はアナログ、デジタルを問わない。
また、「デジタル情報」は、何らかの方法でデジタル化された「情報」を意味し、圧縮されていない状態の「情報」をいう。
また、「配信データ」は、何らかの方法で実時間配受信が可能な容量に圧縮された「デジタル情報」を意味する。
さらに、「データ」は、「配信データ」以外に、制御用データも含まれる。
【００２２】
図１に示すように、本発明に係る第一の実施の形態の教師端末１０は、教師が、学習者に配信する映像情報および音声情報の少なくとも一方の情報が記録された記録媒体２１から少なくとも一方の情報をデジタル情報として読み込む情報読み込み手段１１と、情報読み込み手段１１で読み込まれたデジタル情報からデジタル情報のデジタル配信データを生成する配信データ生成手段１２と、配信データ生成手段１２で生成されたデジタル配信データを、デジタルデータを伝送する回線２２に、デジタルデータとして送信するデータ送信手段１３とを備える。
【００２３】
図２は、第一の実施の形態の教師端末１０のハードウエア構成図であって、教師端末１０はパーソナルコンピュータ３０を主たるハードウエアとしている。
即ち、パーソナルコンピュータ（以下教師ＰＣと記す）３０は、配信データ生成手段１２およびデータ送信手段１３として機能するプログラムを実行するＣＰＵ３１と、ＣＰＵ３１で実行されるプログラムを記憶するメモリ３２と、教師ＰＣ３０を回線２２に接続するための通信インターフェイス（以下通信Ｉ／Ｆと記す）３３と、アナログ記録媒体に記録された情報を再生するアナログ再生装置３４を教師ＰＣ３０に接続するためのアナログインターフェイス（以下アナログＩ／Ｆと記す）３５と、デジタル記録媒体に記録された情報を再生するデジタル再生装置３６を教師ＰＣ３０に接続するためのデジタルインターフェイス（以下デジタルＩ／Ｆと記す）３７とを備える。
なお、ＣＰＵ３１と、メモリ３２と、通信Ｉ／Ｆ３３と、アナログＩ／Ｆ３５と、デジタルＩ／Ｆ３７とはバス３８によって相互に接続されている。また、教師用ＰＣは、入力装置および出力装置も備えている。入力装置は、例えば、キーボード、マウスであり、出力装置は、例えば、液晶ディスプレイ、プリンタである。
【００２４】
次に、アナログ情報が記録されている記録媒体２１から映像情報および音声情報を学習者に配信する場合について説明する。この場合の代表的な記録媒体２１は、ビデオテープ４１である。教師は、ビデオテープ４１をアナログ再生装置３４であるビデオデッキに装着し、頭出しをした後再生ボタンを操作して再生を開始する。ビデオデッキから出力される映像情報および音声情報は、アナログＩ／Ｆ３５でデジタル情報に変換されて、教師ＰＣに読み込まれる。従って、アナログ再生装置３４およびアナログＩ／Ｆ３５は、情報読み込み手段１１として機能することとなる。
【００２５】
教師ＰＣ３０は、メモリ３２内に記憶されているプログラムを実行して、デジタル映像情報およびデジタル音声情報を実時間で圧縮してデジタル配信データを生成する。この処理が配信データ生成手段１２の動作に相当する。
教師ＰＣ３０は、生成されたデジタル配信データを通信Ｉ／Ｆ３３を介して回線２２に順次出力する。この処理がデータ送信手段１３の動作に相当する。デジタル配信データの送信に使用する通信プロトコルは特に規定されないが、実時間性を重視するためには、無手順プロトコルを採用することが好ましい。
【００２６】
次に、デジタル情報が記録されている記録媒体２１から映像情報および音声情報を学習者に配信する場合について説明する。この場合の代表的な記録媒体２１は、ＤＶＤ４２である。教師は、ＤＶＤ４２をデジタル再生装置３６であるＤＶＤデッキに装着し、頭出しをした後再生ボタンを操作して再生を開始する。ＤＶＤデッキから出力される映像情報および音声情報は、デジタルＩ／Ｆ３７を介して教師ＰＣ３０に読み込まれる。従って、デジタル再生装置３６およびデジタルＩ／Ｆ３７も、情報読み込み手段１１として機能することとなる。以後の処理は、ビデオテープから映像情報および音声情報を学習者に配信する場合と同様であるので、説明を省略する。
【００２７】
以上のように、本発明に係る第一の実施の形態の教師端末は、情報読み込み手段１１と、配信データ生成手段１２と、データ送信手段１３とを備えたので、記録媒体２１に記録された情報をデジタルデータとして回線２２に実時間で送信することが可能となる。
【００２８】
次に、図３を参照して、本発明に係る第二の実施の形態の教師端末について説明する。なお、第一の実施の形態の教師端末と同一の構成に対しては、同一の参照番号を付して、その説明を省略する。
本発明に係る第二の実施の形態の教師端末は、教師端末１０が、配信データ生成手段１２で生成されたデジタル配信データを実時間記憶する教師用記憶手段１４と、教師用記憶手段１４に記憶されたデジタル配信データを読み出してデータ送信手段１３に出力するデータ出力手段１５とを備える。
【００２９】
図４は、第二の実施の形態の教師端末１０のハードウエア構成図であるが、第一の実施の形態と同一の構成に対しては、同一の参照番号を付して、その説明を省略する。
即ち、第二の実施の形態の教師端末１０には、教師用記憶手段１４として機能する教師用記憶装置３９が追設される。なお、教師用記憶装置３９はバス３８に接続される。
そして、教師端末１０は、ビデオテープ４１またはＤＶＤ４２に記録されている映像情報および音声情報をデジタル配信データとして学習者に実時間配信すると同時に、映像情報および音声情報のデジタル配信データを教師用記憶装置３９に実時間記憶する。
教師用記憶装置３９に記憶されたデジタル配信データは、入力装置から入力される命令に応じて、教師用記憶装置３９から読み出され、通信Ｉ／Ｆ３３を介して回線２２に送信される。なお、この処理がデータ出力手段１５の動作に相当する。
ここで、教師用記憶装置３９としては、ハードディスクまたは半導体メモリを使用することができる。
【００３０】
以上のように、本発明に係る第二の実施の形態の教師端末は、教師用記憶手段１４とデータ出力手段１５とを備えているので、実時間配信した映像情報および音声情報を必要に応じて再配信することが可能となる。
【００３１】
次に、図５を参照して、本発明に係る第三の実施の形態の学習者端末について説明する。
即ち、本発明に係る第三の実施の形態の学習者端末５０は、デジタルデータを伝送する回線２２からデジタルデータをデジタル配信データとして受信するデータ受信手段５１と、データ受信手段５１で受信されたデジタル配信データからデジタル情報を実時間復元する復元手段５２と、復元手段５２で実時間復元されたデジタル情報を実時間記憶する学習者用記憶手段５３と、復元手段５２で実時間復元されたデジタル情報からデジタル映像情報を実時間抽出する映像情報抽出手段５４と、映像情報抽出手段５４で実時間抽出されたデジタル映像情報を実時間可視化する可視化手段５５と、復元手段５２で実時間復元されたデジタル情報からデジタル音声情報を実時間抽出する音声情報抽出手段５６と、音声情報抽出手段５６で実時間抽出されたデジタル音声情報を実時間可聴化する可聴化手段５７とを備える。
【００３２】
図６は、第三の実施の形態の学習者端末５０のハードウエア構成図であって、学習者端末５０はパーソナルコンピュータを主たるハードウエアとしている。
即ち、パーソナルコンピュータ（以下学習者ＰＣと記す）６０は、データ受信手段５１、復元手段５２、映像情報抽出手段５４、および音声情報抽出手段５６として機能するプログラムを実行するＣＰＵ６１と、これらのプログラムを記憶するメモリ６２と、学習者ＰＣ６０を回線２２に接続するための通信Ｉ／Ｆ６３と、学習者用記憶手段５３として機能する学習者用記憶装置６４と、復元された映像情報を表示装置６５に伝送するための映像インターフェイス（以下映像Ｉ／Ｆと記す）６６と、復元された音声情報をスピーカ６７に伝送するための音声インターフェイス（以下音声Ｉ／Ｆと記す）６８とを備える。
なお、ＣＰＵ６１と、メモリ６２と、通信Ｉ／Ｆ６３と、学習者用記憶装置６４と、映像Ｉ／Ｆ６６と、音声Ｉ／Ｆ６８とはバス６９によって相互に接続されている。また、学習者ＰＣ６０は、入力装置および出力装置も備えている。入力装置は、例えば、キーボード、マウスであり、出力装置は、例えば、液晶ディスプレイ、プリンタである。
学習者用記憶装置６４としては、ハードディスクあるいは半導体メモリを適用することができる。
【００３３】
ＣＰＵ６１はメモリ６２に記憶されているプログラムを実行して、通信Ｉ／Ｆ６３を介して回線２２から自分が受信すべきデジタルデータを受信するが、この処理がデータ受信手段５１の動作に相当する。
受信したデジタルデータは、圧縮されていることが普通であるので、実時間解凍されデジタル配信データとして復元される。そして、この処理が、復元手段５２の動作に相当する。
実時間解凍されたデジタル配信データからデジタル映像情報およびデジタル音声がそれぞれ実時間抽出されるが、これらの処理が、それぞれ、映像情報抽出手段５４および音声情報抽出手段５６の動作に相当する。
【００３４】
そして、実時間復元されたデジタル映像情報は、映像Ｉ／Ｆ６６を介して表示装置６５に伝送され可視化されるが、この処理が可視化手段５５の動作に相当する。
さらに、実時間復元されたデジタル音声情報は、音声Ｉ／Ｆ６８を介してスピーカ６７に伝送され可聴化されるが、この処理が可聴化手段５７の動作に相当する。
【００３５】
以上のように、本発明に係る第三の実施の形態の学習者端末５０は、データ受信手段５１と、復元手段５２と、学習者用記憶手段５３と、映像情報抽出手段５４と、可視化手段５５と、音声情報抽出手段５６と、可聴化手段５７とを備えたので、実時間配信されてきた映像情報および音声情報を実時間記憶しながら、可視化および可聴化することが可能となる。
【００３６】
次に、図７を参照して、本発明に係る第四の実施の形態の学習者端末について説明する。なお、第三の実施の形態と同一の構成については、同一の番号を付して、その説明を省略する。
即ち、本発明に係る第四の実施の形態の学習者端末５０は、学習者用記憶手段５３に記憶されているデジタル情報を読み出し、映像情報抽出手段５４および音声情報抽出手段５６に出力する情報出力手段７１を備える。
なお、情報出力手段７１は、学習者ＰＣ６０の入力装置から入力される命令に応じて学習者ＰＣ６０のメモリ６２に記憶されたプログラムが実行されることにより実現されるものであり、第四の実施の形態の学習者端末５０のハードウエア構成は第三の実施の形態の学習者端末５０と同一となるので、その説明を省略する。
【００３７】
以上のように、本発明に係る第四の実施の形態の学習者端末５０は、情報出力手段７１を備えたので、入力装置から入力される命令に応じて、既に学習者用記憶手段５３に記憶されているデジタル情報からデジタル映像情報およびデジタル音声情報を再生することが可能となる。
【００３８】
次に、図８を参照して、本発明に係る第五の実施の形態の学習者端末について説明する。なお、第四の実施の形態と同一の構成については、同一の番号を付して、その説明を省略する。
本発明に係る第五の実施の形態の学習者端末５０は、学習者端末５０を使用している学習者の音声を学習者デジタル音声情報に変換する学習者音声情報変換手段７２と、情報出力手段７１から出力されるデジタル情報から音声情報抽出手段５６により抽出されたデジタル音声情報と、学習者音声情報変換手段７２で変換された学習者デジタル音声情報とを混合してデジタル混合音声情報を生成する混合音声情報生成手段７３と、混合音声情報生成手段７３で生成されたデジタル混合音声情報を学習者用記憶手段５３に実時間記憶する混合音声情報記憶手段７４とを備える。
【００３９】
図９は、本発明に係る第五の実施の形態の学習者端末５０のハードウエア構成図であって、第三の実施の形態の学習者端末と同一の構成については同一の参照番号を付して、その説明を省略する。
即ち、本発明に係る第五の実施の形態の学習者端末５０には、第三の実施の形態の学習者ＰＣ６０に対してその学習者端末５０を使用している学習者の音声を電気信号に変換するマイクロホン８１が追加される。マイクロホン８１で音声が変換された電気信号は、音声Ｉ／Ｆ６８に導かれ、デジタル情報に変換される。音声をデジタル情報に変換する方法としては、周知の方法を適用することができるが、ＰＣＭ（パルス・符号変調）を使用することが有利である。なお、この処理が、学習者音声情報変換手段７２の動作に相当する。
【００４０】
デジタル信号化された学習者の音声は、情報出力手段７１から出力されたデジタル情報から抽出されたデジタル音声情報と混合される。この処理が混合音声情報生成手段７３の動作に相当する。
そして、混合音声情報生成手段７３により混合された混合音声情報は、学習者用記憶装置６４に再記憶される。この処理が、混合音声情報記憶手段７４の動作に相当する。
【００４１】
以上説明したように、本発明に係る第五の実施の形態の学習者端末５０は、学習者音声情報変換手段７２と、混合音声情報生成手段７３と、混合音声情報記憶手段７４とを設けたので、学習者端末５０を使用している学習者の音声と教師の音声を混合して、再記憶することが可能となる。
【００４２】
次に、図１０を参照して、本発明に係る第六の実施の形態の学習者端末について説明する。なお、第四の実施の形態と同一の構成については、同一の番号を付して、その説明を省略する。
本発明に係る第六の実施の形態の学習者端末５０は、学習者端末５０を使用している学習者の音声を学習者配信データに変換する学習者配信データ変換手段７５と、情報出力手段７１から出力される配信データと学習者配信データ変換手段７５で変換された学習者配信データとを混合して混合配信データを生成する混合配信データ生成手段７６と、混合配信データ生成手段７６で生成された混合配信データを学習者用記憶手段５３に再記憶する混合配信データ記憶手段７７とを備える。
【００４３】
即ち、第五の実施の形態の学習者端末５０が教師および学習者の音声を非圧縮の状態で記憶するのに対し、第六の実施の形態の学習者端末５０は教師および学習者の音声を圧縮した状態で記憶する。
なお、デジタル音声情報の圧縮は、学習者ＰＣ６０のメモリ６２に記憶されたプログラムを実行することにより行われる。従って、本発明に係る第六の実施の形態の学習者端末５０のハードウエア構成は第五の実施の形態の学習者端末５０と同一となるので、説明を省略する。
【００４４】
以上説明したように、本発明に係る第六の実施の形態の学習者端末５０は、学習者配信データ変換手段７５と、混合配信データ生成手段７６と、混合配信データ記憶手段７７とを設けたので、その学習者端末５０を使用している学習者の音声と教師の音声を混合し、圧縮された形式で学習者用記憶手段５３に再記憶することが可能となる。
【００４５】
次に、図１１を参照して、本発明に係る第七の実施の形態の授業支援システムについて説明する。なお、図１１は学習者端末を複数台含む授業支援システムを示しているが、各学習者端末の構成はすべて同一であるので、以下では一つの学習者端末について構成を説明する。
【００４６】
即ち、本発明に係る第七の実施の形態の授業支援システムは、教師が操作する教師端末１０と、少なくとも一人の学習者のそれぞれが操作する複数の学習者端末５０と、教師端末１０から複数の学習者端末５０に配信されるデジタルデータを伝送する回線２２とを備える。
【００４７】
そして、教師端末１０は、教師が少なくとも一人の学習者に配信する映像情報および音声情報の少なくとも一方の情報が記録された記録媒体２１から少なくとも一方の情報をデジタル情報として読み込む情報読み込み手段１１と、情報読み込み手段１１で読み込まれたデジタル情報からデジタル情報のデジタル配信データを生成する配信データ生成手段１２と、配信データ生成手段１２で生成されたデジタル配信データを、回線２２に、デジタルデータとして送信するデータ送信手段１３とを含む。
【００４８】
学習者端末５０は、回線２２からデジタルデータをデジタル配信データとして受信するデータ受信手段５１と、データ受信手段５１で受信されたデジタル配信データからデジタル情報を実時間復元する復元手段５２と、復元手段５２で実時間復元されたデジタル情報を実時間記憶する学習者用記憶手段５３と、復元手段５２で実時間復元されたデジタル情報からデジタル映像情報を実時間抽出する映像情報抽出手段５４と、映像情報抽出手段５４で実時間抽出されたデジタル映像情報を実時間可視化する可視化手段５５と、復元手段５２で実時間復元されたデジタル情報からデジタル音声情報を実時間抽出する音声情報抽出手段５６と、音声情報抽出手段５６で実時間抽出されたデジタル音声情報を実時間可聴化する可聴化手段５７とを含む。
【００４９】
即ち、本発明に係る第七の実施の形態の授業支援システムは、第一の実施の形態に係る教師端末と、第三の実施の形態に係る学習者端末とを組み合わせたものであり、それぞれのハードウエア構成および動作は既に説明したので、本実施の形態のハードウエア構成および動作の説明は省略する。
以上説明したように、本発明に係る第七の実施の形態の授業支援システムは、第一の実施の形態に係る教師端末と、第三の実施の形態に係る学習者端末とを備えたので、記録媒体に記録された映像情報および音声情報の少なくとも一方を教師端末から学習者端末に実時間配信することが可能となるとともに、学習者端末で実時間記憶することが可能となる。
【００５０】
次に、図１２を参照して、本発明に係る第八の実施の形態の授業支援システムについて説明する。なお、図１２は学習者端末を複数台含む場合を示しているが、学習者端末の構成はすべて同一であるので、一つの学習者端末について構成を説明する。
本発明に係る第八の実施の形態の授業支援システムは、学習者端末５０が、教師端末または学習端末の入力装置から入力される命令に応じて、学習者用記憶手段５３に記憶されているデジタル情報を読み出し、映像情報抽出手段５４および音声情報抽出手段５６に出力する情報出力手段７１を含む。
【００５１】
本発明に係る第八の実施の形態の授業支援システムは、第一の実施の形態に係る教師端末と、第四の実施の形態に係る学習者端末とを組み合わせたものであり、それぞれのハードウエア構成および動作は既に説明したので、本実施の形態のハードウエア構成および動作の説明は省略する。
以上説明したように、本発明に係る第八の実施の形態の授業支援システムは、第一の実施の形態に係る教師端末と、第四の実施の形態に係る学習者端末とを備えたので、教師端末または学習端末の入力装置から入力される命令に応じて、既に学習者用記憶手段５３に記憶されているデジタル情報からデジタル映像情報およびデジタル音声情報を再生することが可能となる。
【００５２】
次に、図１３を参照して、本発明に係る第九の実施の形態の授業支援システムについて説明する。なお、図１３は学習者端末を複数台含む授業支援システムを示しているが、各学習者端末の構成はすべて同一であるので、以下では一つの学習者端末について構成を説明する。
本発明に係る第九の実施の形態の授業支援システムは、学習者端末５０が、学習者端末を使用している学習者の音声を学習者デジタル音声情報に変換する学習者音声情報変換手段７２と、情報出力手段７１から出力されるデジタル情報から音声情報抽出手段５６により抽出されたデジタル音声情報と、学習者音声情報変換手段７２で変換された学習者デジタル音声情報とを混合してデジタル混合音声情報を生成する混合音声情報生成手段７３と、混合音声情報生成手段７３で生成されたデジタル混合音声情報を学習者用記憶手段５３に実時間記憶する混合音声情報記憶手段７４とを含む。
【００５３】
即ち、本発明に係る第九の実施の形態の授業支援システムは、第一の実施の形態に係る教師端末と、第五の実施の形態に係る学習者端末とを組み合わせたものであり、それぞれのハードウエア構成および動作は既に説明したので、本実施の形態のハードウエア構成および動作の説明は省略する。
以上説明したように、本発明に係る第九の実施の形態の授業支援システムは、第一の実施の形態に係る教師端末と、第五の実施の形態に係る学習者端末とを備えたので、その学習者端末を使用している学習者の音声と教師の音声を混合して再記憶すること、および学習者が教師の音声を聞きながら自分の音声を録音することが可能となる。
【００５４】
次に、図１４を参照して、本発明に係る第十の実施の形態の授業支援システムについて説明する。なお、図１４は学習者端末を複数台含む授業支援システムを示しているが、各学習者端末の構成はすべて同一であるので、以下では一つの学習者端末について構成を説明する。
即ち、本発明に係る第十の実施の形態の授業支援システムは、学習者端末５０が、学習者端末５０を使用している学習者の音声を学習者配信データに変換する学習者配信データ変換手段７５と、情報出力手段７１から出力される配信データと学習者配信データ変換手段７５で変換された学習者配信データとを混合して混合配信データを生成する混合配信データ生成手段７６と、混合配信データ生成手段７６で生成された混合配信データを学習者用記憶手段５３に再記憶する混合配信データ記憶手段７７とを含む。
【００５５】
即ち、本発明に係る第十の実施の形態の授業支援システムは、第一の実施の形態に係る教師端末と、第六の実施の形態に係る学習者端末とを組み合わせたものであり、それぞれのハードウエア構成および動作は既に説明したので、本実施の形態のハードウエア構成および動作の説明は省略する。
以上説明したように、本発明に係る第十の実施の形態の授業支援システムは、第一の実施の形態に係る教師端末と、第六の実施の形態に係る学習者端末とを備えたので、その学習者端末を使用している学習者の音声と教師の音声を混合して、圧縮された形式で再記憶することが可能となる。
【００５６】
次に、図１５を参照して、本発明に係る第十一の実施の形態の授業支援システムについて説明する。なお、図１５は学習者端末を複数台含む場合を示しているが、学習者端末の構成はすべて同一であるので、一つの学習者端末について構成を説明する。また、学習者端末は一台であってもよい。
本発明に係る第十一の実施の形態の授業支援システムは、教師端末１０が、配信データ生成手段１２で生成されたデジタル配信データを実時間記憶する教師用記憶手段１４と、教師端末または学習者端末の入力装置から入力される命令に応じて、教師用記憶手段１４に記憶されたデジタル配信データを読み出してデータ送信手段１３に出力するデータ出力手段１５とを含む。
【００５７】
本発明に係る第十一の実施の形態の授業支援システムは、教師端末１０を第二の実施の形態の教師端末としたものであり、第二の教師端末のハードウエア構成および動作は、既に説明したので、本実施の形態のハードウエア構成および動作の説明は省略する。
以上説明したように、本発明に係る第十一の実施の形態の授業支援システムは、教師用記憶手段１４とデータ出力手段１５とを備えているので、実時間配信した映像情報および音声情報を必要に応じて学習者端末に再配信することが可能となる。
なお、第十一の実施の形態の授業支援システムの学習者端末は第三の実施の形態であるとして説明したが、第四の実施の形態ないし第六の実施の形態を適用できることは、明らかである。
また、図１１から図１５は複数台の学習者端末を備える授業支援システムの構成を示しているが、本発明に係る授業支援システムは学習者端末が一台であってよい。
【００５８】
【発明の効果】
以上説明したように、本発明は、映像音声情報の実時間送信機能を有する教師端末と、映像音声情報の実時間受信機能、および実時間記憶機能を有する学習者端末とを備えたので、媒体に記録された情報を教師端末から学習者端末に実時間配信できるとともに、学習者端末で実時間記憶することができる授業支援システムを提供することができるものである。
【図面の簡単な説明】
【図１】本発明の第一の実施の形態の教師端末の機能構成図
【図２】本発明の第一の実施の形態の教師端末のハードウエア構成図
【図３】本発明の第二の実施の形態の教師端末の機能構成図
【図４】本発明の第二の実施の形態の教師端末のハードウエア構成図
【図５】本発明の第三の実施の形態の学習者端末の機能構成図
【図６】本発明の第三の実施の形態の学習者端末のハードウエア構成図
【図７】本発明の第四の実施の形態の学習者端末の機能構成図
【図８】本発明の第五の実施の形態の学習者端末の機能構成図
【図９】本発明の第五の実施の形態の学習者端末のハードウエア構成図
【図１０】本発明の第六の実施の形態の学習者端末の機能構成図
【図１１】本発明の第七の実施の形態の授業支援システムの機能構成図
【図１２】本発明の第八の実施の形態の授業支援システムの機能構成図
【図１３】本発明の第九の実施の形態の授業支援システムの機能構成図
【図１４】本発明の第十の実施の形態の授業支援システムの機能構成図
【図１５】本発明の第十一の実施の形態の授業支援システムの機能構成図
【図１６】従来の学習システムの構成図
【符号の説明】
１０  教師端末
１１  情報読み込み手段
１２  配信データ生成手段
１３  データ送信手段
１４  教師用記憶手段
２１  記録媒体
２２  回線
３０  教師ＰＣ
３１  ＣＰＵ
３２  メモリ
３３  通信Ｉ／Ｆ
３４  アナログ再生装置
３５  アナログＩ／Ｆ
３６  デジタル再生装置
３７  デジタルＩ／Ｆ
３８  バス
３９  教師用記憶装置
４１  ビデオテープ
４２  ＤＶＤ
５０  学習者端末
５１  データ受信手段
５２  復元手段
５３  学習者用記憶手段
５４  映像情報抽出手段
５５  可視化手段
５６  音声情報抽出手段
５７  可聴化手段
６０  学習者ＰＣ
６１  ＣＰＵ
６２  メモリ
６３  通信Ｉ／Ｆ
６４  学習者用記憶装置
６５  表示装置
６６  映像Ｉ／Ｆ
６８  音声Ｉ／Ｆ
６９  バス
７１  情報出力手段
７２  学習者音声情報変換手段
７３  混合音声情報生成手段
７４  混合音声情報記憶手段
７５  学習者配信データ変換手段
７６  混合配信データ生成手段
７７  混合配信データ記憶手段
【図１】
2005017755.tif 000003
【図２】
2005017755.tif 000004
【図３】
2005017755.tif 000005
【図４】
2005017755.tif 000006
【図５】
2005017755.tif 000007
【図６】
2005017755.tif 000008
【図７】
2005017755.tif 000009
【図８】
2005017755.tif 000010
【図９】
2005017755.tif 000011
【図１０】
2005017755.tif 000012
【図１１】
2005017755.tif 000013
【図１２】
2005017755.tif 000014
【図１３】
2005017755.tif 000015
【図１４】
2005017755.tif 000016
【図１５】
2005017755.tif 000017
【図１６】
2005017755.tif 000018